(57)【特許請求の範囲】
【請求項１】
複数の床板体に分割され各床板体が回動自在に連結された床板装置において、
各床板体は合成樹脂によって成形されるとともに、少なくとも１つは薄肉ヒンジを介して回動自在に連結された複数の床部および両端に位置する床部から突出形成されたフックを有し、
その床板体と隣り合う床板体には上記フックと対応する位置に凹み部が形成されているとともに、その凹み部に一部を露出させて係止軸が設けられ、この係止軸の凹み部に露出した部分に上記フックが係止されることを特徴とする床板装置。
【請求項２】
少なくとも長手方向中央部に位置する床板体の幅方向端部には、その幅方向内方へ凹んだ凹部が形成されていることを特徴とする請求項１記載の床板装置。
【請求項３】
上記床板体の幅方向端部には、１つの床部の端面に取り付け固定される取付け部及びこの取付け部に回動自在に連結されるとともに上記１つの床部に薄肉ヒンジによって連結された他の床部に取付け固定される回動部とを有する補強部材が設けられていることを特徴とする請求項１又は請求項２に記載の床板装置。
【請求項４】
長手方向中央に位置する床板体の幅方向内方へ凹んだ凹部には、１つの床部の端面に取り付け固定される取付け部及びこの取付け部に回動自在に連結されるとともに上記１つの床部に薄肉部によって連結された他の床部に取付け固定される回動部とを有する補強部材が設けられていることを特徴とする請求項２記載の床板装置。
【請求項５】
上記補強部材の取付け部には支持体が上記凹部に対して突没自在に設けられていることを特徴とする請求項４記載の床板装置。
【請求項６】
上記補強部材の取付け部は、厚肉部およびこの厚肉部の両端から延出された薄肉部とを有し、この薄肉部上に隣り合う床部の一端部が位置しており、上記薄肉部の端部に上記支持体を上記取付け部にスライド自在に支持するガイド孔が形成されていることを特徴とする請求項５記載の床板装置。
【請求項７】
ベッドフレームを有し、このベッドフレームには少なくとも一部が起伏駆動可能な床板装置が設けられる背上げ式のベッド装置において、
上記床板装置は請求項１乃至請求項６のいずれかに記載された構成であることを特徴とするベッド装置。
【発明の詳細な説明】
【０００１】
【発明の属する技術分野】
この発明は起床式ベッド装置に用いられる床板装置に関する。
【０００２】
【従来の技術】
たとえば、病院などに老人や病人などの自力で身体を自由に動かすことができない利用者が入院した場合には病院用のベッド装置が用いられる。この種のベッド装置には種々のタイプがあるが、その１つとして起床式のベッド装置が知られている。
【０００３】
起床式のベッド装置は、周知のようにベッドフレ−ムを有し、このベッドフレ−ム上に複数の床部に分割された床板装置が設けられている。複数の床部のうちの１つは上記フレ−ムに固定され、利用者の上半身に対応する床部は駆動機構によって起伏駆動されるようになっている。
【０００４】
したがって、利用者は自力で上半身を起こすことができなくとも、上記駆動機構によって床部を起上させることで、上半身を起こすことができるから、食事や読書などをするときに便利である。
【０００５】
上記床板装置の性能や生産性の向上、洗浄などの衛生面のために、複数の床部を合成樹脂によって一体成形することが考えられている。その場合に、各床部をブロー成形などで中空状に成形し、端面に凹凸状のかみ合わせ部を作り、凹凸部にロッドを挿入して回動自在に連結することが計られていた。
【０００６】
しかしながら、各床部をロッドで連結する場合、上記床部のかみ合わせ部にロッドを通すための孔を開けなければならないから、その作業に手間が掛り、さらに上記ロッドによって各床部を連結するという作業も行わなければならないから、その作業にも手間が掛かるということがあり、生産性の向上に支障をきたしていた。
【０００７】
【発明が解決しようとする課題】
このように、隣り合う各床部をロッドで連結する作業は生産性の向上に不向きであり、また組立て作業も容易でないなどのことがあった。
この発明は、隣り合う床部をロッドで連結する場合に比べて作業性の向上を計ることができるようにした床板装置を提供することにある。
【０００８】
【課題を解決するための手段】
請求項１の発明は、複数の床板体に分割され各床板体が回動自在に連結された床板装置において、
各床板体は合成樹脂によって成形されるとともに、少なくとも１つは薄肉ヒンジを介して回動自在に連結された複数の床部および両端に位置する床部から突出形成されたフックを有し、
その床板体と隣り合う床板体には上記フックと対応する位置に凹み部が形成されているとともに、その凹み部に一部を露出させて係止軸が設けられ、この係止軸の凹み部に露出した部分に上記フックが係止されることを特徴とする。
【００１１】
請求項２の発明は、請求項１の発明において、少なくとも長手方向中央部に位置する床板体の幅方向端部には、その幅方向内方へ凹んだ凹部が形成されていることを特徴とする。
【００１２】
請求項３の発明は、請求項１又は請求項２の発明において、上記床板体の幅方向端部には、１つの床部の端面に取り付け固定される取付け部及びこの取付け部に回動自在に連結されるとともに上記１つの床部に薄肉ヒンジによって連結された他の床部に取付け固定される回動部とを有する補強部材が設けられていることを特徴とする。
【００１３】
請求項４の発明は、請求項２の発明において、長手方向中央に位置する床板体の幅方向内方へ凹んだ凹部には、１つの床部の端面に取り付け固定される取付け部及びこの取付け部に回動自在に連結されるとともに上記１つの床部に薄肉部によって連結された他の床部に取付け固定される回動部とを有する補強部材が設けられていることを特徴とする。
【００１４】
請求項５の発明は、請求項４の発明において、上記補強部材の取付け部には支持体が上記凹部に対して突没自在に設けられていることを特徴とする。
請求項６の発明は、請求項５の発明において、上記補強部材の取付け部は、厚肉部およびこの厚肉部の両端から延出された薄肉部とを有し、この薄肉部上に隣り合う床部の一端部が位置しており、上記薄肉部の端部に上記支持体を上記取付け部にスライド自在に支持するガイド孔が形成されていることを特徴とする。
【００１５】
請求項７の発明は、ベッドフレームを有し、このベッドフレームには少なくとも一部が起伏駆動可能な床板装置が設けられる背上げ式のベッド装置において、
上記床板装置は請求項１乃至請求項６のいずれかに記載された構成であることを特徴とする。
【００１７】
請求項１の発明によれば、複数の床板体を有する床板装置において、床板体を合成樹脂によって成形するとともに、少なくとも１つの床板体は薄肉ヒンジを介して回動自在に連結された複数の床部を有する構成としたから、ロッドによる連結作業が不要となるため、生産性の向上が計れる。
【００１９】
また、請求項１の発明によれば、複数に分割された床板体の隣り合う部分の一方にフック、他方に係止軸を露出させる凹み部を形成し、上記フックと係止軸とを係合させるという作業によって床板体を組み立てるようにしたから、その組立作業を容易に行うことができる。
【００２０】
請求項２の発明によれば、床板体お幅方向端部に、その幅方向内方へ凹んだ凹部を形成したことで、床板装置上に仰臥した病人などを介護する場合、床板体の幅方向中央側に近付き、病人などの介護を容易に行うことが可能となる。
【００２１】
請求項３の発明によれば、床板体の幅方向端部に、１つの床部に取り付け固定される取付け部及びこの取付け部に回動自在に連結されるとともに上記１つの床部に薄肉ヒンジを介して連結された床部に取り付けられる回動部を有する補強部材を設けたので、薄肉ヒンジによって連結された床部の起伏を繰り返しても、その薄肉ヒンジによる連結状態が損なわれることがない。
【００２２】
請求項４の発明によれば、床板体の幅方向内方へ凹んだ凹部には、１つの床部に取り付け固定される取付け部及びこの取付け部に回動自在に連結されるとともに上記１つの床部に薄肉ヒンジを介して連結された床部に取り付けられる回動部を有する補強部材を設けたので、薄肉ヒンジによって連結された床部の起伏を繰り返しても、その薄肉ヒンジによる連結状態が損なわれることがないばかりか、床板装置上に仰臥した病人などを介護する場合、床板体の幅方向中央側に近付き、病人などの介護を容易に行うことが可能となる。
【００２３】
請求項５の発明によれば、床板体の凹部に設けられた補強部材の取付け部に、支持体を上記凹部に対して突没自在に設けるようにしたから、この支持体によって床板装置上に載置されるマットレス装置の上記凹部に対応する部分を確実に支持することができ、しかもマットレス装置の上記凹部に対応する部分を圧縮変形させるとともに上記支持体を凹部内へ変位させることで、床板装置上に仰臥した病人などを介護する場合、床板体の幅方向中央側に近付き、病人などの介護を容易に行うことが可能となる。
【００２４】
請求項６の発明によれば、補強部材の取付け部を、厚肉部及びこの厚肉部の両端から延出された薄肉部とから形成し、この薄肉部上に隣り合う床部の一端部を位置させ、かつ薄肉部の端部に支持体をスライド自在に支持するガイド孔を形成したことで、一対の薄肉部に形成されるガイド孔の間隔を１つの床部の寸法よりも大きくし、支持体の支持スパンを大きくできるから、床板体に形成される凹部の寸法を大きくしても、その支持体の支持状態の安定性を確保することができる。
【００２５】
請求項７の発明によれば、背上げ式のベッド装置のベッドフレーム上に、薄肉ヒンジによって床部が回動自在に連結された床板体を有する床板装置を用いるようにしたことで、そのベッド装置の生産性の向上と組立作業の容易化とを計ることができる。
【００２７】
【発明の実施の形態】
以下、この発明の一実施の形態を図面を参照して説明する。
図１０に示すベッド装置Ｂは下面四隅部に脚２が設けられたベ−スフレ−ム１を備えている。このベ−スフレ−ム１の四隅部には取付部３が設けられ、各取付部３には上下駆動ア−ム４の一端が回動自在に連結されている。各上下駆動ア−ム４の他端はベッドフレ−ム５に連結されている。
【００２８】
つまり、ベッドフレ−ム５の両側の長手方向両端部にはそれぞれブラケット６が垂設されている。ベッドフレ−ム５の幅方向において対応する各一対のブラケット６には横軸７が回転自在に架設されている。各横軸７には上記上下駆動ア−ム４の他端が固着されている。
【００２９】
上記一対の横軸７は図示しない上下駆動機構によって回転駆動されるようになっている。横軸７が回転駆動されれば、上記上下駆動ア−ム４が起伏駆動される。それによって、上記ア−ム４の他端に連結されたベッドフレ−ム５が上下駆動されるようになっている。
【００３０】
上記ベッドフレ−ム５は、その長手方向に沿う一対の長尺杆８と幅方向に沿う一対の短尺杆（図示せず）との端部を連結部材１１によって連結した矩形枠状をなしている。長手方向一端側に位置する一対の連結部材１１にはヘッドボ−ド枠１２が取り付けられ、他端側に位置する一対の連結部材１１にはフットボ−ド枠１３が取り付けられている。
【００３１】
上記ベッドフレ−ム５の上面には床板装置２１が設けられている。この床板装置２１は図１に示すように第１乃至第３の３つの床板体２２，２３，２４に分割されている。
【００３２】
長手方向中央に位置する第２の床板体２３の長手方向両端には図２に示すようにそれぞれフック２５が逆向きに突出形成されている。このフックの内面の開放端側の両端部には図４に示すように突条２６が形成されている。
【００３３】
上記第１の床板部２２と第３の床板部２４との端部には上記フック２５に対応する位置に凹み部２７が形成されているとともに、その端部の幅方向に沿って係止軸２８が架設されている。この係止軸２８は上記凹み部２７の部分で露出しており、その露出部分が上記フック２５に係止されている。
【００３４】
それによって、第１乃至第３の床板体２２〜２４が回動自在に連結されている。なお、係止軸２８は上記フック２５の突条２６を弾性的に変形させてそのフック２５内に入り込むようになっている。それによって、各床板体２２〜２４の連結状態が不用意に外れることがないようになっている。
【００３５】
上記第２の床板体２３は合成樹脂によって第１乃至第３の３つの床部３１ａ〜３１ｃが一体成形されてなる。つまり、各床部３１ａ〜３１ｃは図３に示すようにブロー成形によって中空状に形成されているとともに、中央に位置する第２の床部３１ｂの両側には第１の床部３１ａと第３の床部３１ｃとがそれぞれ薄肉ヒンジ３２によって折り曲げ自在に一体的に連結されている。
【００３６】
図１に示すように、上記第２の床部３１ｂは幅方向両端部に内方へ凹んだ凹部３３が形成されている。この凹部３３の端面部、つまり第２の床部３１ｂの幅方向両端部にはそれぞれ合成樹脂製の補強部材３４が設けられている。この補強部材３４は図５と図８に示すように中央に位置する第２の床部３１ａの端面に取付け固定される取付け部３５を有する。この取付け部３５は厚肉部３６ａの両端に薄肉部３６ｂが形成され、この薄肉部３６ｂ上に上記第１の床部３１ａと第３の床部３１ｃとの幅方向一端部が位置するようになっている。
【００３７】
上記厚肉部３６ａの両端部にはレバー状の回動部３７の一端がピン３８によって回動自在に連結されている。この回動部３７は、上記薄肉部３６ａ上に位置する第１、第３の床部３１ａ，３１ｃの幅方向端部の上面にねじ３９によって連結固定されている。
【００３８】
上記厚肉部３６ａの両端部には取付孔４１が厚さ方向に貫通して形成され、この取付孔４１に挿通される図示しないねじによって上記補強部材３４はベッドフレーム５に取り付け固定されている。
【００３９】
補強部材３４をベッドフレームに固定することで、第２の床部３１ｂがベッドフレーム５に固定され、第１の床部３１ａと第３の床部３１ｃとは上記第２の床部３１ｂに対して薄肉ヒンジ３２により折り曲げ自在（回動自在）となっている。第１の床部３１ａと第３の床部３１ｃは薄肉ヒンジ３２によって連結されているだけでなく、上記補強部材３４の回動部３７によっても連結されている。
【００４０】
そのため、第１の床部３１ａと第３の床部３１ｃとの幅方向において荷重が不均一に加わっても、回動部３７によって連結された第１の床部３１ａと第３の床部３１ｃとが大きく撓むのを規制されるから、上記薄肉ヒンジ３２に大きなせん断力が加わって破損するのが防止できるようになっている。
【００４１】
上記第２の床板体２３の凹部３３にはそれぞれ支持体４３がこの凹部３３に突没自在に設けられている。支持体４３は図５に示すように帯状のプレート４４と、このプレート４４の上端側に所定間隔で一端が連結された３本のガイドロッド４５と、上記プレート４４の下端側に中途部が連結固定されたコ字状のガイド部材４６とから構成されている。
【００４２】
上記補強部材３４の取付け部３５には、厚肉部３６ａの中央部および両端部と、薄肉部３６ｂの端部とにそれぞれガイド孔４２が形成されている。上記ガイドロッド４５は上記厚肉部３６ｂのガイド孔４２にスライド自在に挿入支持され、上記ガイド部材４６の両端部は上記薄肉部３６ｂのガイド孔４２にスライド自在に挿入支持されている。それによって、上記支持体４３は上記凹部３３に図１に矢印で示す方向に突没自在にスライドできるようになっている。
【００４３】
上記第２の床部３１ｂの下面には、図３と図７に示すように、その下面側に開放した溝部４７が幅方向全長にわたって形成されている。この溝部４７には図７に示すようにチャンネル部材４８が設けられている。このチャンネル部材４８内の一端側と他端側とにはそれぞれスライダ５１がスライド自在に設けられている。
【００４４】
各スライダ５１はチャンネル部５１ａと、Ｌ字状部５１ｂとを有し、チャンネル部５１ａの両側壁には所定長さの長孔（図示せず）が長手方向に沿って形成され、この長孔には上記チャンネル部材４８の幅方向に架設されたガイドロッド５２が挿入されている。したがって、上記スライダ５１はその長孔の範囲内で上記ガイドロッド５２に沿ってスライド自在となっている。
【００４５】
各スライダ５１のチャンネル部５１ａの端部は上記支持体４３のプレート４４に連結固定されている。さらに、上記ガイドロッド５２と上記スライダ５１のＬ字状部５１ｂの先端との間にはばね５３が張設されている。
【００４６】
上記支持体４３を上記床板体２３の凹部３３に入り込む方向へスライドさせ、そのスライドにスライダ５１が連動すると、スライダ５１とガイドロッド５２との間に張設されたばね５３が復元力に抗して引き伸ばされる。つまり、支持体４３はばね５３の復元力に抗して凹部３３内方へ没入する方向へ変位する。したがって、支持体４３に付与した押圧力を解除すれば、上記支持体４３はばね５３の復元力によって凹部３３に突出する状態に戻ることになる。
【００４７】
上記床板装置２１上にはマットレス装置６１が載置される。このマットレス装置６１は図９に示すようにクッション体６２が袋状に縫製された布製の外装体６３に収容されてなる。
【００４８】
上記クッション体６２は、発泡ウレタンフォーム、サイザル繊維あるいは圧縮成形された綿などの弾性材料によってほぼ矩形状に形成された本体部６４を有する。この本体部６４は幅方向両側の長手方向中途部に凹状の窪み部６５が形成されていて、この窪み部６５には補助弾性部材６６が設けられている。
【００４９】
上記補助弾性部材６６は上記本体部６４よりも十分に軟質になるよう発泡成形されたウレタンフォームなどによって形成されていて、幅方向（マットレス装置６１の幅方向と同方向）に圧縮変形し易いようになっている。
【００５０】
上記窪み部６５に設けられた補助弾性部材６６は、クッション体６２の周囲を被覆するとともにこのクッション体６２に紐状部材６７によって結合されたメッシュ６８によってクッション体６２と一体的に保持されている。
【００５１】
上記クッション体６２の上下面には幅方向に沿う溝部６２ａが長手方向に所定間隔で形成されている。この溝部６２ａはクッション体５２の上面と下面において長手方向における位置を上記間隔の約２分の１ずらして形成されている。
【００５２】
上記マットレス装置６１の両側に設けられた補助弾性部材６６は、このマットレス装置６１の左右方向および前後方向において対称形状に形成されている。それによって、床板装置２１上に載置されたマットレス装置６１を裏返したり、前後の向きを変えて使用しても、床板２１の凹部２４に対してマットレス装置６１の補助弾性部材６６の位置がずれることがないようになっている。
【００５３】
マットレス装置６１の補助弾性部材６６は上記床板装置２１の第２の床板体２３に形成された凹部３３に対応位置する。つまり、支持体４３によって支持されている。したがって、上記補助弾性部材６６の部分を幅方向内方へ押圧すれば、この補助弾性部材６６が圧縮変形するとともに、その変形によって支持体４３を凹部３３内へ没入する方向へ弾性的に変位させることができる。
【００５４】
図１０に示すように、上記ベッドフレ−ム５の下面側には背上げ駆動機構７１が設けられている。この背上げ駆動機構７１は一側面に駆動源７０が設けられたボックス７２を有し、このボックス７２の一端側と他端側とにはそれぞれ軸線をベッドフレ−ム５の幅方向に沿わせた第１の駆動軸７３と第２の駆動軸７４とが設けられている。
【００５５】
ヘッドボ−ド枠１２側に位置する第１の駆動軸７３には第１のア−ム７５の一端が固着されている。この第１のア−ム７５の他端部には一対の第１のロ−ラ７６が所定間隔で回転自在に設けられている。このロ−ラ７６は上記第１の床板体２２の下面に設けられた断面コ字状のレ−ル７７に転動自在に係合している。
【００５６】
上記第２の駆動軸７４には第２のア−ム７８の一端が連結されている。この第２のア−ム７８の他端には第２のロ−ラ７９が回転自在に設けられている。この第２のロ−ラ７９は上記第２の床板体２３の第３の床部３１ｃの下面に当接している。
【００５７】
上記第１の駆動軸７３と第２の駆動軸７４は上記背上げ駆動機構７１によって回転駆動されるようになっている。第１の駆動軸７３が回転駆動されて第１のア−ム７５が起上方向に回動すると、第１の床板体２２と第２の床板体２３の第１の床部３１ａとが起上させられる。第２の駆動軸７４が回転駆動されて第２のア−ム７８が起上方向に回動すると、第２の床板体２３の第３の床部３１ｃが起上方向に駆動され、この第３の床部３１ｃに第３の床板体２４が連動する。
【００５８】
第３の床板体２４とベッドフレ−ム５との間にはリンク８１が両端部を回転自在に連結して設けられている。それによって、第３の床板体２４は第３の床部３１ｃに連動した状態、つまり第３の床部３１ｃとでほぼへの字状をなした状態で保持されるようになっている。
【００５９】
上記構成のベッド装置によれば、床板装置２１の第２の床板体２３の幅方向両側には幅方向に凹んだ凹部３３が形成され、マットレス装置６１のクッション体６２の長手方向中央部分の幅方向両側は補助弾性部材６５によって形成されている。
【００６０】
上記マットレス装置６１の補助弾性部材６５は圧縮変形可能な柔らかさであるが、その補助弾性部材６５の下面側は上記床板装置２１の凹部３３に突出した支持体４３によって支持されている。
【００６１】
そのため、支持体４３によって支持された補助弾性部材６５は、荷重によって変形し過ぎるようなことがないから、通常のベッド面の一部として有効に利用することができる。つまり、補助弾性部材６５を設けることで、マットレス装置６５の有効使用面積が減少するということがない。
【００６２】
しかも、本体部６３の窪み部６４に設けられた補助弾性部材６５はメッシュ６７によって本体部６３と一体的に保持されているから、窪み部６４から脱落して利用者に違和感を与えたり、接着剤で接着固定した場合のように固化した接着剤の硬さによってクッション性能が低下したり、使用にともない剥離するなどのことが防止される。
【００６３】
一方、マットレス装置６１上に仰臥した図示しない老人や病人などの利用者を診察したり、介護する場合、診察者や介護者は床板装置２１の凹部３３に突出した支持体４３と、マットレス装置６１の支持体４３上に載置された補助弾性部材６５とを身体の一部、たとえば太腿の部分で押圧する。それによって、上記支持体４３が弾性的に没入方向へスライドするとともに、マットレス装置６１の補助弾性部材６５が圧縮変形されるから、診察者や観察者は床板装置２１の凹部３３内へ入り込み、マットレス装置６１に仰臥した利用者に近付くことができる。
【００６４】
そのため、診察者や介護者は、利用者の身体を部分的に持ち上げたり、寝返りを打たせるなどの作業を、腰に負担が掛かることのない態勢で容易に行うことができる。
【００６５】
また、足腰が弱った利用者がマットレス装置６１上から降りる場合、床板装置２１の凹部３３の箇所から降りるようにする。それによって、利用者が立ち上がるとき、利用者の大腿部が支持体６１や補助弾性部材５５によって弾性的に保持されるから、保持されない場合に比べて立ち上がるときの安定性が得られる。
【００６６】
一方、利用者の上半身を起す場合には、背上げ駆動機構７１を作動させて第１の駆動軸７３と第２の駆動軸７４を回転させる。それによって、第１のアーム７５と第２のアーム７８とが起立方向に回動するから、その動きに連動して第１の床板体２２、第２の床板体２３の第１の床部３１ａと第３の床部３１ｃさらに第３の床板体２４が図１０に示すように回動上昇する。
【００６７】
床板装置２１の各床板体２２〜２４が駆動されれば、それに応じてマットレス装置６１も屈曲されるから、このマットレス装置６１上に仰臥した利用者は上半身が起され、脚部が持ち上げられた状態で支持されることになる。
【００６８】
上記床板装置２１の第２の床板体２３は第１乃至第３  の床部３１ａ〜３１ｃが合成樹脂によって薄肉ヒンジ３２を介して一体に連結された状態で成形されてなる。
【００６９】
そのため、各床部３１ａ〜３１ｃを別々に成形してロッドで連結する場合に比べて上記第２の床板体２３の生産を容易に、しかも能率よく行うことが可能となる。
【００７０】
第１乃至第３  の床部３１ａ〜３１ｃが薄肉ヒンジ３２を介して一体に連結された第２の床板体２３では、その第１  の床部３１ａや第３の床部３１ｃに荷重が不均一に加わるなどすると、その荷重が薄肉ヒンジ３２に直接、せん断力として作用することになるから、上記薄肉ヒンジ３２が損傷する虞がある。
【００７１】
しかしながら、第２の床板体２３の幅方向端部には補強部材３４の取付け部３５が第２の床部３３２ｂに連結固定され、回動部３７が第１、第２の床部３１ａ，３１ｃにそれぞれ連結して設けられている。
【００７２】
そのため、第１の床部３１ａと第３の床部３１ｃとに荷重が不均一に加わっても、上記回動部３７によって各床部３１ａ，３１ｃから薄肉ヒンジ３２にせん断力が加わるのが制限される。つまり、回動部３７によって第１の床部３１ａと第３の床部３１ｃとが不均一な荷重によって大きく撓むのが阻止されることで、薄肉ヒンジ３２にせん断力が作用するのが制限されるから、上記薄肉ヒンジ３２が早期に破損するのを防止することができる。
【００７３】
上記補強部材３４の取付け部３５は、厚肉部３６ａの両端部から薄肉部３６ｂを延出した構成とし、その薄肉部３６ｂ上に第１の床部３１ａと第３の床部３１ｃとの端部を位置させるとともに、上記薄肉部３６ｂの端部に支持体４３のガイド部材４６をスライド自在に支持するガイド孔４２を形成した。
【００７４】
そのため、一対のガイド孔４２の間隔を第２の床部３１ｂの幅寸法よりも大きく取ることができるから、上記支持体４３を安定性よく支持することができる。つまり、支持体４３を支持するガイド部材４６の両端部の間隔を大きく取ることができるから、支持体４３の長さ寸法が長くなっても、この支持体４３を補強部材３４の取付け部３５に安定性のよい状態でスライド自在に支持することができる。
【００７５】
上記マットレス装置６１のクッション体６２の本体部６３には、上下面に幅方向に沿う溝部６２ａが長手方向に所定間隔で形成されていることで長手方向に沿って屈曲され易い状態になっている。
【００７６】
そのため、クッション体６２は床板装置２１の第１乃至第３の床板体２２〜２４を起上させることで、その起上に応じて容易に屈曲させることができる。つまり、クッション体６２が屈曲されにくいと、起上させられた床板体２１の上面に沿って湾曲せず、これら床板体から浮き上がる虞があるが、上記クッション体６２は溝部６２ａよって屈曲され易くしているため、床板装置２１から浮き上がることなく屈曲されることになる。
【００７７】
この発明は上記一実施の形態に限定されず、たとえば第２の床板体の３つの床部から形成し、これら３つの床部をそれぞれ薄肉ヒンジで回動自在に連結したが、床板体の床部は２つあるいは４つ以上であってもよく、要は複数の床部が薄肉ヒンジによって回動自在に連結されていればよい。したがって、補強部材も、連結する床部の数が限定されるものでない。
【００７８】
また、マットレス装置としては、エアーマットレス、ウオータマットレス、とくに低反発のポリウレタンフォーム製で、床板装置の凹部に対応する部分に幅方向内方へ圧縮変形し易いよう厚さ方向に貫通する孔が形成されたものなどであってもよい。
【００７９】
【発明の効果】
請求項１の発明によれば、複数の床板体を有する床板装置において、床板体を合成樹脂によって成形するとともに、少なくとも１つの床板体は薄肉ヒンジを介して回動自在に連結された複数の床部を有する構成としたから、ロッドによる連結作業が不要となるため、生産性の向上が計れる。
【００８１】
また、請求項１の発明によれば、複数に分割された床板体の隣り合う部分の一方にフック、他方に係止軸を露出させる凹み部を形成し、上記フックと係止軸とを係合させるという作業によって床板体を組み立てるようにしたから、その組立作業を容易に行うことができる。
【００８２】
請求項２の発明によれば、床板体お幅方向端部に、その幅方向内方へ凹んだ凹部を形成したことで、床板装置上に仰臥した病人などを介護する場合、床板体の幅方向中央側に近付き、病人などの介護を容易に行うことが可能となる。
【００８３】
請求項３の発明によれば、床板体の幅方向端部に、１つの床部に取り付け固定される取付け部及びこの取付け部に回動自在に連結されるとともに上記１つの床部に薄肉ヒンジを介して連結された床部に取り付けられる回動部を有する補強部材を設けたので、薄肉ヒンジによって連結された床部の起伏を繰り返しても、その薄肉ヒンジによる連結状態が損なわれることがない。
【００８４】
請求項４の発明によれば、床板体の幅方向内方へ凹んだ凹部には、１つの床部に取り付け固定される取付け部及びこの取付け部に回動自在に連結されるとともに上記１つの床部に薄肉ヒンジを介して連結された床部に取り付けられる回動部を有する補強部材を設けたので、薄肉ヒンジによって連結された床部の起伏を繰り返しても、その薄肉ヒンジによる連結状態が損なわれることがないばかりか、床板装置上に仰臥した病人などを介護する場合、床板体の幅方向中央側に近付き、病人などの介護を容易に行うことが可能となる。
【００８５】
請求項５の発明によれば、床板体の凹部に設けられた補強部材の取付け部に、支持体を上記凹部に対して突没自在に設けるようにしたから、この支持体によって床板装置上に載置されるマットレス装置の上記凹部に対応する部分を確実に支持することができ、しかもマットレス装置の上記凹部に対応する部分を圧縮変形させるとともに上記支持体を凹部内へ変位させることで、床板装置上に仰臥した病人などを介護する場合、床板体の幅方向中央側に近付き、病人などの介護を容易に行うことが可能となる。
【００８６】
請求項６の発明によれば、補強部材の取付け部を、厚肉部及びこの厚肉部の両端から延出された薄肉部とから形成し、この薄肉部上に隣り合う床部の一端部を位置させ、かつ薄肉部の端部に支持体をスライド自在に支持するガイド孔を形成したことで、一対の薄肉部に形成されるガイド孔の間隔を１つの床部の寸法よりも大きくし、支持体の支持スパンを大きくできるから、床板体に形成される凹部の寸法を大きくしても、その支持体の支持状態の安定性を確保することができる。
【００８７】
請求項７の発明によれば、背上げ式のベッド装置のベッドフレーム上に、薄肉ヒンジによって床部が回動自在に連結された床板体を有する床板装置を用いるようにしたことで、そのベッド装置の生産性の向上と組立作業の容易化とを計ることができる。
【図面の簡単な説明】
【図１】この発明の一実施の形態を示す床板装置の斜視図。
【図２】同じく床板装置の長手方向に沿う断面図。
【図３】同じく第２の床板体の長手方向に沿う拡大断面図。
【図４】同じく第２の床板体の端部のフックの部分の拡大断面図。
【図５】同じく補強部材と支持体とを示す斜視図。
【図６】同じく第２の床板体の上面側を示す平面図。
【図７】同じく第２の床板体の下面側を示す平面図。
【図８】同じく第２の床板体と補強部材との断面図。
【図９】同じくマットレス装置の斜視図。
【図１０】同じくベッド装置の側面図。
【符号の説明】
５…ベッドフレーム
２１…床板装置
２２〜２４…床板体
３１ａ〜３１ｃ…床部
３２…薄肉ヒンジ
３３…凹部
３４…補強部材
３５…取付け部
３７…回動部
４３…支持体
【図１】
0003616257.tif 000002
【図２】
0003616257.tif 000003
【図３】
0003616257.tif 000004
【図４】
0003616257.tif 000005
【図５】
0003616257.tif 000006
【図６】
0003616257.tif 000007
【図７】
0003616257.tif 000008
【図８】
0003616257.tif 000009
【図９】
0003616257.tif 000010
【図１０】
0003616257.tif 000011